(57)【要約】【課題】  ウーファーおよびツィーターが再生可能な帯域が広く重複していても、適切にクロスオーバー周波数を設定することができるチャンネルデバイダおよびこれを含む音声再生システムを提供する。【解決手段】  音声再生システムは、チャンネルデバイダの制御回路が、テスト信号発生回路からテスト信号をウーファー及びツィーターにそれぞれ独立に供給させて、これらに対応するマイクロホンからの測定信号を第１測定信号および第２測定信号として記録し、クロスオーバー周波数ｆｃ０を変数に設定して所定の低域通過フィルタＬＰＦおよび高域通過フィルタＨＰＦを動作させた場合の音圧のパワースペクトル関数を第１測定信号および第２測定信号に基づいて演算し、表示回路部が、クロスオーバー周波数ｆｃ０が選択されるべき最適クロスオーバー周波数帯域ｆｃｚをパワースペクトル関数に基づいて表示する。【選択図】  図１
2014154956.tif 000002
【特許請求の範囲】
【請求項１】
入力される音声信号を、少なくとも低音域側の第１出力信号と該第１出力信号よりも高音域側の第２出力信号とに帯域分割してそれぞれ第１出力端子および第２出力端子に出力する低域通過フィルタＬＰＦおよび高域通過フィルタＨＰＦを含む信号処理部と、所定の帯域を含むテスト信号を発生させて該第１出力端子または該第２出力端子に出力するテスト信号発生回路と、マイクロホンからの測定信号の周波数およびレベルを表示する表示回路部と、該信号処理部および該表示回路部と、を制御する制御回路と、を含むチャンネルデバイダと、
音声を音声信号に変換して該測定信号として該チャンネルデバイダへ入力する該マイクロホンと、
該チャンネルデバイダのそれぞれの該第１出力端子または該第２出力端子に対応する増幅回路を含む増幅器と、
少なくともウーファー及びツィーターを少なくとも含み、該ウーファー及び該ツィーターが該増幅器とそれぞれ接続が可能なスピーカーシステムと、
を含む音声再生システムであって、
該制御回路が、ユーザー操作に応じて該信号処理部を設定して、該スピーカーシステムにおける該ウーファー及び該ツィーターの該帯域分割を規定する任意のクロスオーバー周波数ｆｃ０を指定する場合に、
該チャンネルデバイダの該制御回路が、該テスト信号発生回路から該テスト信号を該ウーファー及び該ツィーターにそれぞれ独立に供給させて、これらに対応する該マイクロホンからの該測定信号を第１測定信号および第２測定信号として記録し、該クロスオーバー周波数ｆｃ０を変数に設定して所定の該低域通過フィルタＬＰＦおよび該高域通過フィルタＨＰＦを動作させた場合の該マイクロホンの位置での音圧のパワースペクトル関数を該第１測定信号および該第２測定信号に基づいて演算し、
該チャンネルデバイダの該表示回路部が、該クロスオーバー周波数ｆｃ０が選択されるべき最適クロスオーバー周波数帯域ｆｃｚを該パワースペクトル関数に基づいて表示する、
音声再生システム。
【請求項２】
前記チャンネルデバイダの前記制御回路が演算する前記クロスオーバー周波数ｆｃ０を変数に設定した前記パワースペクトル関数が、
該クロスオーバー周波数ｆｃ０未満での前記第１測定信号に基づく第１パワースペクトル積分値と、該クロスオーバー周波数ｆｃ０以上での前記第２測定信号に基づく第２パワースペクトル積分値と、の和を正規化した関数として演算されて、前記表示回路部においてグラフ表示される、
請求項１に記載の音声再生システム。
【請求項３】
前記チャンネルデバイダの前記表示回路部が、前記パワースペクトル関数とともに、前記制御回路が演算する該パワースペクトル関数の微分値から導出される変曲点又は極大値をグラフ表示する、
請求項１または２に記載の音声再生システム。
【請求項４】
前記チャンネルデバイダの前記信号処理部が、前記第１出力信号または前記第２出力信号のレベル調整を行なうレベル調整回路と、該第１出力信号または該第２出力信号の位相反転を行なう位相反転回路と、該第１出力信号または該第２出力信号の遅延時間を調整する遅延回路と、をそれぞれ含み、
該チャンネルデバイダの前記制御回路が、該レベル調整回路および該位相反転回路および該遅延回路の設定を反映して前記パワースペクトル関数を前記第１測定信号および前記第２測定信号に基づいて演算する、
請求項１から３のいずれかに記載の音声再生システム。
【請求項５】
請求項１から４のいずれかに記載の前記音声再生システムを構成するチャンネルデバイダ。
【請求項６】
入力される音声信号を、前記第１出力信号よりも低音域側の第３出力信号、および／または、前記第２出力信号よりも高音域側の第４出力信号に帯域分割して、それぞれ第３出力端子、および／または、第４出力端子にさらに出力するチャンネルデバイダであって、
前記低域通過フィルタＬＰＦおよび前記高域通過フィルタＨＰＦが、それぞれ直列接続する他の高域通過フィルタＨＰＦまたは他の低域通過フィルタＬＰＦと組み合わせて帯域通過フィルタＢＰＦを構成し、それぞれ第１出力端子または第２出力端子に出力する、
請求項５に記載のチャンネルデバイダ。
【請求項７】
請求項５または６に記載の前記チャンネルデバイダにおいて、前記ユーザー操作に応じて前記信号処理部を設定して前記クロスオーバー周波数ｆｃ０を指定する動作を実行する方法であって、
該チャンネルデバイダの前記テスト信号発生回路から前記テスト信号を前記ウーファー及び前記ツィーターにそれぞれ独立に供給させるステップと、
これらに対応する前記マイクロホンからの前記測定信号を前記第１測定信号および前記第２測定信号として記録するステップと、
該クロスオーバー周波数ｆｃ０を変数に設定して所定の前記低域通過フィルタＬＰＦおよび前記高域通過フィルタＨＰＦを動作させた場合の前記マイクロホンの位置での音圧の前記パワースペクトル関数を該第１測定信号および該第２測定信号に基づいて演算するステップと、
該クロスオーバー周波数ｆｃ０が選択されるべき最適クロスオーバー周波数帯域ｆｃｚを該パワースペクトル関数に基づいて表示するステップと、
を含む方法。
【発明の詳細な説明】
【技術分野】
【０００１】
本発明は、マルチウェイスピーカーシステムによる音声信号再生で使用するチャンネルデバイダおよびこれを含む音声再生システム、並びにクロスオーバー周波数を設定する方法であって、特に、適切にチャンネルデバイダのクロスオーバー周波数を設定することができて、良好な音声再生が可能なチャンネルデバイダおよびこれを含む音声再生システムに関する。
【背景技術】
【０００２】
低音域再生用のウーファー及び高音域再生用のツィーターを含むマルチウェイスピーカーシステムでは、各スピーカーユニットの再生周波数帯域に合わせてアンプで増幅された音声信号を帯域分割するネットワーク回路を含む場合が一般的である。一方で、スピーカーシステムのネットワーク回路を使用せずにマルチアンプ（バイアンプ）駆動を実現する方法として、パワーアンプの前段にチャンネルデバイダを設けて、このチャンネルデバイダによって音声信号を帯域分割する場合がある。
【０００３】
チャンネルデバイダは、上記のようなマルチアンプ−マルチウェイスピーカーシステムの音声再生システムにおいて、入力される音声信号を少なくとも低音域側出力信号と高音域側出力信号とに帯域分割して、マルチアンプに出力する。チャンネルデバイダを用いることで、スピーカーシステムのネットワークよりも急峻な過渡帯域を持つＬＰＦ（低域通過フィルタ）あるいはＨＰＦ（高域通過フィルタ）を設定できる、クロスオーバー周波数を比較的自由に設定できる、等の利点がある（例えば、特許文献１）。また、チャンネルデバイダを採用する場合には、低音域用のアンプ回路と高音域用のアンプ回路が独立するので、低音成分と高音成分とが重畳して発生する混変調歪が低減し、再生音質に優れるという利点があると言われている。
【０００４】
近年、ＤＳＰおよびマルチアンプを含むＡＶレシーバー等を利用してネットワーク回路を備えないスピーカーシステムを接続できるように、ＤＳＰにチャンネルデバイダの機能を持たせようとするものがある（特許文献２）。チャンネルデバイダをデジタルフィルタで実現する場合にはＦＩＲフィルタまたはＩＩＲフィルタによる場合がある。チャンネルデバイダを使用するには、マイクロホン等を用いてスピーカーシステムの各スピーカーユニットの再生帯域を測定して、クロスオーバー周波数を適切に設定する必要がある（特許文献３）。
【０００５】
しかしながら、音声再生システムにチャンネルデバイダを採用しようとしても、一部を除く一般ユーザーにとっては、マイクロホンを利用して適切なクロスオーバー周波数を設定すること、はハードルが高いという問題があり、ＡＶレシーバー等の家庭用のオーディオ装置では、マルチチャンネルアンプ回路を利用したバイアンプ駆動が可能であっても、チャンネルデバイダの機能はほとんど採用されていない。
【０００６】
従来は、適応イコライザ制御するオーディオ装置の制御帯域決定方法において、クロスオーバー周波数を自動的に設定しようとするものがある（特許文献４）。例えば、フィルタ設計パラメータを、パワー効率の重み係数に基づいて演算しようとする自動パワー効率オーディオ調整システムが公知である（特許文献５）。ただし、ネットワーク回路を用いない使用条件では、ウーファーおよびツィーターが再生可能な帯域が広く重複していることが多いので、ユーザーが実際にチャンネルデバイダを採用してクロスオーバー周波数を設定しようとすると、実際にはクロスオーバー周波数の設定が困難であると言う問題がある。つまり、ウーファーおよびツィーターが再生可能な帯域が広く重複していても、ウーファーおよびツィーターがそれぞれ十分な再生能力を有する範囲はその中でも限られているので、重複する帯域の端部で帯域分割すると、結果的に適切に再生されない帯域が広くなるという問題がある。
【０００７】
【特許文献１】特開２００５−１０９９６９号公報
【特許文献２】特開２００２−１１１３９９号公報
【特許文献３】特許第４３２１３１５号公報
【特許文献４】特許第３５５６４２７号公報
【特許文献５】特表２０１２−５０３４５４号公報
【発明の概要】
【発明が解決しようとする課題】
【０００８】
本発明は、上記の従来技術が有する問題を解決するためになされたものであり、その目的は、マルチウェイスピーカーシステムによる音声信号再生で使用するチャンネルデバイダおよびこれを含む音声再生システム並びにクロスオーバー周波数を設定する方法であって、特に、ウーファーおよびツィーターが再生可能な帯域が広く重複していても、ウーファーおよびツィーターがそれぞれ十分な再生能力を有する範囲で適切にチャンネルデバイダのクロスオーバー周波数を設定することができるチャンネルデバイダおよびこれを含む音声再生システムを提供することにある。
【課題を解決するための手段】
【０００９】
本発明の音声再生システムは、入力される音声信号を、少なくとも低音域側の第１出力信号と第１出力信号よりも高音域側の第２出力信号とに帯域分割してそれぞれ第１出力端子および第２出力端子に出力する低域通過フィルタＬＰＦおよび高域通過フィルタＨＰＦを含む信号処理部と、所定の帯域を含むテスト信号を発生させて第１出力端子または第２出力端子に出力するテスト信号発生回路と、マイクロホンからの測定信号の周波数およびレベルを表示する表示回路部と、信号処理部および表示回路部と、を制御する制御回路と、を含むチャンネルデバイダと、音声を音声信号に変換して測定信号としてチャンネルデバイダへ入力するマイクロホンと、チャンネルデバイダのそれぞれの第１出力端子または第２出力端子に対応する増幅回路を含む増幅器と、少なくともウーファー及びツィーターを少なくとも含み、ウーファー及びツィーターが増幅器とそれぞれ接続が可能なスピーカーシステムと、を含む音声再生システムであって、制御回路が、ユーザー操作に応じて信号処理部を設定して、スピーカーシステムにおけるウーファー及びツィーターの帯域分割を規定する任意のクロスオーバー周波数ｆｃ０を指定する場合に、チャンネルデバイダの制御回路が、テスト信号発生回路からテスト信号をウーファー及びツィーターにそれぞれ独立に供給させて、これらに対応するマイクロホンからの測定信号を第１測定信号および第２測定信号として記録し、クロスオーバー周波数ｆｃ０を変数に設定して所定の低域通過フィルタＬＰＦおよび高域通過フィルタＨＰＦを動作させた場合のマイクロホンの位置での音圧のパワースペクトル関数を第１測定信号および第２測定信号に基づいて演算し、チャンネルデバイダの表示回路部が、クロスオーバー周波数ｆｃ０が選択されるべき最適クロスオーバー周波数帯域ｆｃｚをパワースペクトル関数に基づいて表示する。
【００１０】
好ましくは、本発明の音声再生システムは、チャンネルデバイダの制御回路が演算するクロスオーバー周波数ｆｃ０を変数に設定したパワースペクトル関数が、クロスオーバー周波数ｆｃ０未満での第１測定信号に基づく第１パワースペクトル積分値と、クロスオーバー周波数ｆｃ０以上での第２測定信号に基づく第２パワースペクトル積分値と、の和を正規化した関数として演算されて、表示回路部においてグラフ表示される。
【００１１】
また、好ましくは、本発明の音声再生システムは、チャンネルデバイダの表示回路部が、パワースペクトル関数とともに、制御回路が演算するパワースペクトル関数の微分値から導出される変曲点又は極大値をグラフ表示する。
【００１２】
また、好ましくは、本発明の音声再生システムは、チャンネルデバイダの信号処理部が、第１出力信号または第２出力信号のレベル調整を行なうレベル調整回路と、第１出力信号または第２出力信号の位相反転を行なう位相反転回路と、第１出力信号または第２出力信号の遅延時間を調整する遅延回路と、をそれぞれ含み、チャンネルデバイダの制御回路が、レベル調整回路および位相反転回路および遅延回路の設定を反映してパワースペクトル関数を第１測定信号および第２測定信号に基づいて演算する。
【００１３】
また、本発明のチャンネルデバイダは、上記のいずれかの音声再生システムを構成する。
【００１４】
また、好ましくは、本発明のチャンネルデバイダは、入力される音声信号を、第１出力信号よりも低音域側の第３出力信号、および／または、第２出力信号よりも高音域側の第４出力信号に帯域分割して、それぞれ第３出力端子、および／または、第４出力端子にさらに出力するチャンネルデバイダであって、低域通過フィルタＬＰＦおよび高域通過フィルタＨＰＦが、それぞれ直列接続する他の高域通過フィルタＨＰＦまたは他の低域通過フィルタＬＰＦと組み合わせて帯域通過フィルタＢＰＦを構成し、それぞれ第１出力端子または第２出力端子に出力する。
【００１５】
また、上記のチャンネルデバイダにおいて、ユーザー操作に応じて信号処理部を設定してクロスオーバー周波数ｆｃ０を指定する動作を実行する本発明の方法は、チャンネルデバイダのテスト信号発生回路からテスト信号をウーファー及びツィーターにそれぞれ独立に供給させるステップと、これらに対応するマイクロホンからの測定信号を第１測定信号および第２測定信号として記録するステップと、クロスオーバー周波数ｆｃ０を変数に設定して所定の低域通過フィルタＬＰＦおよび高域通過フィルタＨＰＦを動作させた場合のマイクロホンの位置での音圧のパワースペクトル関数を第１測定信号および第２測定信号に基づいて演算するステップと、クロスオーバー周波数ｆｃ０が選択されるべき最適クロスオーバー周波数帯域ｆｃｚをパワースペクトル関数に基づいて表示するステップと、を含む。
【００１６】
以下、本発明の作用について説明する。
【００１７】
本発明のチャンネルデバイダは、少なくとも低音域側の第１出力信号と第１出力信号よりも高音域側の第２出力信号とに帯域分割してそれぞれ第１出力端子および第２出力端子に出力する低域通過フィルタＬＰＦおよび高域通過フィルタＨＰＦを含む信号処理部と、所定の帯域を含むテスト信号を発生させて第１出力端子または第２出力端子に出力するテスト信号発生回路と、マイクロホンからの測定信号の周波数およびレベルを表示する表示回路部と、信号処理部および表示回路部と、を制御する制御回路と、を含む。このチャンネルデバイダを含む音声再生システムは、音声を音声信号に変換して測定信号としてチャンネルデバイダへ入力するマイクロホンと、チャンネルデバイダのそれぞれの第１出力端子または第２出力端子に対応する増幅回路を含む増幅器と、少なくともウーファー及びツィーターを少なくとも含み、ウーファー及びツィーターが増幅器とそれぞれ接続が可能なスピーカーシステムと、を含む。
【００１８】
本発明のチャンネルデバイダは、制御回路が、ユーザー操作に応じて信号処理部を設定して、スピーカーシステムにおけるウーファー及びツィーターの帯域分割を規定する任意のクロスオーバー周波数ｆｃ０を指定する場合に、チャンネルデバイダの制御回路が、テスト信号発生回路からテスト信号をウーファー及びツィーターにそれぞれ独立に供給させて、これらに対応するマイクロホンからの測定信号を第１測定信号および第２測定信号として記録する。そして、クロスオーバー周波数ｆｃ０を変数に設定して所定の低域通過フィルタＬＰＦおよび高域通過フィルタＨＰＦを動作させた場合のマイクロホンの位置での音圧のパワースペクトル関数を第１測定信号および第２測定信号に基づいて演算して、チャンネルデバイダの表示回路部が、クロスオーバー周波数ｆｃ０が選択されるべき最適クロスオーバー周波数帯域ｆｃｚをパワースペクトル関数に基づいて表示する。本発明の方法は、上記のチャンネルデバイダにおいて、それぞれの動作を実行するステップを含み、ユーザー操作に応じて信号処理部を設定してクロスオーバー周波数ｆｃ０を指定する動作を実行する。
【００１９】
したがって、ユーザーは、容易に信号処理部を設定して、スピーカーシステムにおけるウーファー及びツィーターの帯域分割を規定する任意のクロスオーバー周波数ｆｃ０を指定することができる。クロスオーバー周波数ｆｃ０を変更する場合に、表示回路部に、クロスオーバー周波数ｆｃ０が選択されるべき最適クロスオーバー周波数帯域ｆｃｚがパワースペクトル関数に基づいて表示される、あるいは、クロスオーバー周波数ｆｃ０を変数にするパワースペクトル関数が表示されるので、最も適切な帯域が直感的に分かりやすくなるからである。チャンネルデバイダを適切に調整して、クロスオーバー周波数ｆｃ０を変更できるので、再生音質の調整が容易になるという利点がある。マルチウェイスピーカーシステムで用いられるネットワーク回路は、±６〜１８ｄＢ／Ｏｃｔ．の遷移域特性が一般的であるのに対して、チャンネルデバイダのＬＰＦおよびＨＰＦは±２４〜９６ｄＢ／Ｏｃｔ．以上も可能であり、チャンネルデバイダを導入することで遷移域および阻止域の減衰率を大きくすることができる。
【００２０】
また、音声再生システムでは、チャンネルデバイダの制御回路が演算するクロスオーバー周波数ｆｃ０を変数に設定したパワースペクトル関数が、クロスオーバー周波数ｆｃ０未満での第１測定信号に基づく第１パワースペクトル積分値と、クロスオーバー周波数ｆｃ０以上での第２測定信号に基づく第２パワースペクトル積分値と、の和を正規化した関数として演算されて、表示回路部においてグラフ表示される。ウーファーおよびツィーターが再生可能な帯域が広く重複している場合には、従来技術のように単に横軸を周波数としたパワースペクトル関数のみで表示すると、クロスオーバー周波数が設定可能な帯域が幅広く表示されてしまう一方で、本発明の場合には、ウーファーおよびツィーターがそれぞれ十分な再生能力を有する範囲の中でも最も効率よく帯域分割するクロスオーバー周波数ｆｃ０を選択可能な範囲を、基準化された大きな値となる範囲として、表示回路部にグラフ表示することができる。したがって、ユーザーは、適切にチャンネルデバイダのクロスオーバー周波数を設定することができる。なお、チャンネルデバイダの表示回路部では、パワースペクトル関数とともに、制御回路が演算するパワースペクトル関数の微分値から導出される変曲点又は極大値をグラフ表示する様にしても良い。ユーザーは、パワースペクトル関数が最も大きくなる範囲を特定しやすくなる利点がある。
【００２１】
また、チャンネルデバイダの信号処理部は、第１出力信号または第２出力信号のレベル調整を行なうレベル調整回路と、第１出力信号または第２出力信号の位相反転を行なう位相反転回路と、第１出力信号または第２出力信号の遅延時間を調整する遅延回路と、をそれぞれ含むようにしてもよい。チャンネルデバイダの制御回路が、レベル調整回路および位相反転回路および遅延回路の設定を反映してパワースペクトル関数を第１測定信号および第２測定信号に基づいて演算するので、ユーザーは、信号処理部でのレベル調整及び遅延及び位相反転の処理を反映したパワースペクトル関数を見てクロスオーバー周波数ｆｃ０を設定できて、再生音質を調整することができる。
【００２２】
また、本発明のチャンネルデバイダは、ウーファーおよびツィーターを含む２ｗａｙのスピーカーシステムに適用するものに限られない。チャンネルデバイダは、サブウーファーおよび／またはミッドレンジおよび／またはスーパーツィーターを含む３〜５ｗａｙのマルチウェイスピーカーに対応するように、入力される音声信号を、第１出力信号よりも低音域側の第３出力信号、および／または、第２出力信号よりも高音域側の第４出力信号に帯域分割して、それぞれ第３出力端子、および／または、第４出力端子にさらに出力するものであってもよい。２ｗａｙのマルチウェイスピーカーシステムでのウーファーおよびツィーターに対応する低域通過フィルタＬＰＦおよび高域通過フィルタＨＰＦが、それぞれ直列接続する他の高域通過フィルタＨＰＦまたは他の低域通過フィルタＬＰＦと組み合わせて帯域通過フィルタＢＰＦを構成すれば、３〜５ｗａｙのマルチウェイスピーカーであっても同様に、チャンネルデバイダを動作させても、隣接するスピーカーユニット間の任意のクロスオーバー周波数ｆｃ０を指定することができる。
【発明の効果】
【００２３】
本発明のチャンネルデバイダおよびこれを含む音声再生システム並びにクロスオーバー周波数を設定する方法は、特に、ウーファーおよびツィーターが再生可能な帯域が広く重複していても、ウーファーおよびツィーターがそれぞれ十分な再生能力を有する範囲で適切にチャンネルデバイダのクロスオーバー周波数を設定することができる。
【図面の簡単な説明】
【００２４】
【図１】本発明の好ましい実施形態によるアンプ装置１を含む音響再生システムについて説明する図である。（実施例１）
【図２】音響再生システムを構成するスピーカーシステム８の音圧周波数特性について説明するグラフである。（実施例１）
【図３】音声再生システムのアンプ装置１において、スピーカーシステム８のクロスオーバー周波数ｆｃ０を指定する動作を実行する方法を説明するフローチャートである。（実施例１）
【図４】アンプ装置１のチャンネルデバイダ１２を使用する場合のスピーカーシステム８の音圧周波数特性について説明するグラフである。（実施例１）
【図５】ウーファーＷＯ測定信号に基づくパワースペクトルと、ツィーターＴＷ測定信号に基づくパワースペクトルと、の和を説明するグラフである。（実施例１）
【図６】クロスオーバー周波数ｆｃ０＝２５０Ｈｚにおけるパワースペクトル関数Ｍｆｃを計算する方法を概念的に説明するグラフである。（実施例１）
【図７】クロスオーバー周波数ｆｃ０を変数にするパワースペクトル関数Ｍｆｃのグラフである。（実施例１）
【発明を実施するための形態】
【００２５】
以下、本発明の好ましい実施形態によるチャンネルデバイダおよびこれを含む音声再生システム、並びに、チャンネルデバイダのクロスオーバー周波数を設定する方法について説明するが、本発明はこれらの実施形態には限定されない。
【実施例１】
【００２６】
図１は、本発明の好ましい実施形態による音響再生システムについて説明する図である。具体的には、音響再生システムは、チャンネルデバイダを含むアンプ装置１と、アンプ装置１に接続するスピーカーシステム８およびマイクロホン９と、を含み、図１は、それぞれの内部構成を示すブロック図である。また、図２および図４スピーカーシステム８の音圧周波数特性を説明するグラフである。また、図３は、アンプ装置１において、スピーカーシステム８のクロスオーバー周波数ｆｃ０を指定する動作を実行する方法を説明するフローチャートである。また、図５〜７は、アンプ装置１のチャンネルデバイダのクロスオーバー周波数ｆｃ０を変数にするパワースペクトル関数Ｍｆｃの導出及び結果を説明するグラフである。なお、説明に不要な一部の構成や、内部構造等は、図示ならびに説明を省略する。
【００２７】
音響再生システムは、アンプ装置１と、アンプ装置１に接続するスピーカーシステム８と、を含み、アンプ装置１に入力されるデジタル信号データａｄａｔａをステレオ音声信号ＬおよびＲに変換し、アンプ装置１で増幅した後に２本のスピーカー８Ｌおよび８Ｒからなるスピーカーシステム８によってステレオ音声を再生する音声再生システムである。アンプ装置１は、ＤＳＰおよびマルチアンプを含み、チャンネルデバイダを動作させたマルチアンプ接続が可能である。また、スピーカーシステム８は、それぞれウーファーＷＯおよびツィーターＴＷを含む２ｗａｙのスピーカーシステムであり、アンプ装置１とは、スピーカーコードによってウーファーＷＯおよびツィーターＴＷのそれぞれにバイワイヤリング接続される。したがって、アンプ装置１を使用するユーザーは、チャンネルデバイダを調整して、ウーファーとツィーターとが重複して再生する周波数帯域とその再生レベルを変更して、スピーカーシステム８の再生音質の調整が可能になる。
【００２８】
アンプ装置１は、デジタル信号データａｄａｔａを信号処理するＤＳＰ（デジタルシグナルプロセッサ）１０と、ＤＳＰ１０の４チャンネル分の出力を受けてアナログ信号に変換するＤ／Ａ変換器２、および、これらのアナログ信号をそれぞれ増幅してスピーカーシステム８へ出力するアンプ回路３と、を少なくとも含む。ステレオ音声信号ＬおよびＲは、アナログで供給されるステレオ信号（左信号Ｌおよび右信号Ｒ）として（図示しない）Ａ／Ｄ変換器を介してＤＳＰ１０に供給されてもよい。アンプ装置１は、全体を制御する制御回路であるＣＰＵ４と、ＣＰＵ４に接続してユーザーからの指示入力を受ける操作部５と、ディスプレイを含む表示回路６と、マイクロホン９が接続するマイクアンプ回路７と、を含む。
【００２９】
具体的には、アンプ装置１は、マルチチャンネル音声に対応したＤＳＰおよびマルチチャンネルアンプ回路を内蔵するＡＶレシーバー等により構成し得る。操作部５は、スイッチ、ジョグダイヤル、あるいは、リモコン装置、等の入力デバイスを含む。表示回路６は、内蔵するＦＬディスプレイ、液晶ディスプレイ等でもよく、又は他に接続するディスプレイ装置であってもよい。もちろん、アンプ装置１は、ＤＳＰ１０と、Ｄ／Ａ変換器２と、マルチチャンネルアンプ回路３と、マイコン等のＣＰＵ４と、を含む他の音響再生装置により構成してもよい。また、Ｄ／Ａ変換器２と、マルチチャンネルアンプ回路３と、表示回路６と、マイクロホン９が接続するマイクロホン端子Ｍを備えるマイクアンプ回路７とは、必ずしもアンプ装置１が備えなくてもよく、アンプ装置１から独立させてもよい。
【００３０】
スピーカーシステム８は、ウーファーＷＯおよびツィーターＴＷを含む２ｗａｙのバイワイヤリングＳＳであり、それぞれのスピーカーユニットに対応する入力端子を含む。左スピーカー８Ｌおよび右スピーカー８Ｒの低音域再生用のウーファーＷＯは、入力端子ｔＬに接続する。また、高音域再生用のツィーターＴＷは、入力端子ｔＨに接続する。低音域再生用のウーファーＷＯと入力端子ｔＬとの間、あるいは、高音域再生用のツィーターＴＷと入力端子ｔＨとの間には、コンデンサ等の保護用のネットワーク回路が接続されていても良い。
【００３１】
図２は、スピーカーシステム８の音圧周波数特性について説明するグラフである。ただし、図２のグラフのスピーカーシステム８のウーファーＷＯおよびツィーターＴＷは、主に音声再生する周波数帯域を、（図示しない）ネットワーク回路ｎＬおよびｎＨにより、クロスオーバー周波数ｆｃを境にして分割されている。ネットワーク回路ｎＬは、クロスオーバー周波数ｆｃよりも高い周波数で−１２ｄＢ／Ｏｃｔ．の遷移域特性を示す２次のＬＰＦフィルタである。また、ネットワーク回路ｎＨは、クロスオーバー周波数ｆｃよりも低い周波数で１２ｄＢ／Ｏｃｔ．の遷移域特性を示す２次のＨＰＦフィルタである。したがって、低音域再生用のウーファーＷＯは、クロスオーバー周波数ｆｃ以下の周波数帯域を主に再生し、ツィーターＴＷは、クロスオーバー周波数ｆｃ以上の周波数帯域を主に再生する。一方で、スピーカーシステム８は、（図示しない）ネットワーク回路ｎＬおよびｎＨを備えない場合には、クロスオーバー周波数ｆｃの付近でのスピーカーシステム８の再生音は、ウーファーＷＯからの再生音とツィーターＴＷからの再生音とが、図２で図示する場合よりもさらに幅広く重複することになる。
【００３２】
（図示しない）ネットワーク回路ｎＬおよびｎＨは、スピーカーシステム８のウーファーＷＯおよびツィーターＴＷに同一の信号を入力する場合（つまり、入力端子ｔＬおよびｔＨを接続して入力する場合）に、比較的にフラットな合成音圧周波数特性（図示するＷＯ＋ＴＷ）を実現するように調整されている。なお、図２に図示する場合には、スピーカーシステム８のネットワーク回路ｎＬおよびｎＨは、緩やかな遷移域特性を示す２次のフィルタである。ネットワーク回路ｎＬおよびｎＨは、後述するチャンネルデバイダの低域通過フィルタＬＰＦおよび高域通過フィルタＨＰＦで置き換えることができる。
【００３３】
ＤＳＰ１０は、入力データａｄａｔａをステレオ信号ＬおよびＲに変換するデコーダ１１と、デジタルフィルタを含むチャンネルデバイダ１２と、デコーダ１１に接続してステレオ信号（左信号Ｌおよび右信号Ｒ）に代えてテスト信号をチャンネルデバイダ１２に入力するテスト信号源１３と、を内部に含む。ＤＳＰ１０は、チャンネルデバイダ１２の４チャンネル分の出力端子（ＤＬ１、ＤＬ２、ＤＲ１、ＤＲ２）をＤ／Ａ変換器２へ出力する。チャンネルデバイダ１２は、左信号Ｌおよび右信号Ｒにそれぞれ対応する低域通過フィルタＬＰＦおよび高域通過フィルタＨＰＦと、スイッチＳＷ１およびＳＷ２と、を含む。ＤＳＰ１０のチャンネルデバイダ１２の低域通過フィルタＬＰＦおよび高域通過フィルタＨＰＦのフィルタ設定と、スイッチＳＷ１およびＳＷ２の切換えは、ＣＰＵ４により制御される。
【００３４】
チャンネルデバイダ１２の低域通過フィルタＬＰＦおよび高域通過フィルタＨＰＦは、ＦＩＲフィルタまたはＩＩＲフィルタおよびそれらの組み合わせにより構成されるデジタルフィルタである。低域通過フィルタＬＰＦおよび高域通過フィルタＨＰＦは、バターワースフィルタ、Ｌｉｎｋｗｉｔｚ−Ｒｉｌｅｙフィルタ、等が好ましく、ＦＩＲフィルタによる直線位相特性を含むものであってもよい。再生音質を調整する範囲が広がり、幅広いスピーカーシステムにも対応できるように、低域通過フィルタＬＰＦおよび高域通過フィルタＨＰＦはそれぞれ、レベル調整を行なう（図示しない）レベル調整回路と、位相反転を行なう（図示しない）位相反転回路と、遅延時間を調整する（図示しない）遅延回路と、をそれぞれ含ようにしてもよい。
【００３５】
スイッチＳＷ１は、低域通過フィルタＬＰＦの出力を第１の出力端子（ＤＬ１、ＤＲ１）へ出力するか否かを切り換える。スイッチＳＷ２は、高域通過フィルタＨＰＦの出力を高音域側のＤ／Ａ変換器２に接続する第２の出力端子（ＤＬ２、ＤＲ２）へ出力するか、低音域側のＤ／Ａ変換器２に接続する出力端子（ＤＬ１、ＤＲ１）へ出力するか、を切り換える。
【００３６】
チャンネルデバイダ１２のスイッチＳＷ１およびＳＷ２は、通常の音声再生時には、図１のように、低域通過フィルタＬＰＦと高域通過フィルタＨＰＦとを並列接続して、入力信号がそれぞれに供給されて、低域通過フィルタＬＰＦと高域通過フィルタＨＰＦのそれぞれの出力がＤ／Ａ変換器２へ出力するように切り替えられる。つまり、スイッチＳＷ１およびＳＷ２はそれぞれ閉じられて、低域通過フィルタＬＰＦの出力を第１の出力端子（ＤＬ１、ＤＲ１）へ出力し、高域通過フィルタＨＰＦの出力を第２の出力端子（ＤＬ２、ＤＲ２）へ出力する。なお、本実施例では、チャンネルデバイダ１２を動作させて音声再生する上記のスイッチ接続状態を「通常音声再生モード」という。ユーザーは、「通常音声再生モード」では、チャンネルデバイダ１２を動作させて、スピーカーシステム８のウーファーＷＯから再生する音声とツィーターＴＷから再生する音声との合成音を確認しながら、再生音質を調整することができる。
【００３７】
マイクアンプ回路７は、マイクロホン９からの入力信号を増幅する増幅段７１と、増幅段７１の出力をＣＰＵ４に出力するようにフィルタ処理ならびにＡ／Ｄ変換する出力回路７２と、を含む。したがって、アンプ装置１のＣＰＵ４は、テスト信号出力モードにおいてテスト信号源１３から発生させたテスト信号に同期してマイクロホン９から検出される音声信号を、テスト信号の再生音として検出し、表示回路６に表示することができる。
【００３８】
図３は、この音声再生システムのアンプ装置１において、スピーカーシステム８のクロスオーバー周波数ｆｃ０を指定する動作を実行する方法を説明するフローチャートである。具体的には、アンプ装置１のＣＰＵ４が、テスト信号出力モードにおいてアンプ装置１を制御してこのフローチャートを実行する。その結果、テスト信号出力モードにおいて、アンプ装置１の表示回路６は、少なくとも、設定するクロスオーバー周波数ｆｃ０を横軸にとって、スピーカーシステム８のウーファーＷＯからのテスト信号に対応するウーファーＷＯ測定信号と、スピーカーシステム８のツィーターＴＷからのテスト信号に対応するツィーターＴＷ測定信号と、から演算したパワースペクトル関数を縦軸にとってグラフ表示するとともに、適切なクロスオーバー周波数ｆｃ０の範囲を示唆する表示を行なうことができる。
【００３９】
次に、図３を参照して、本実施例のアンプ装置１のチャンネルデバイダ１２の「テスト信号出力モード」について説明する。テスト信号出力モードでは、アンプ装置１は、スイッチＳＷ１およびＳＷ２をそれぞれＯｎ／Ｏｆｆするように切り換えることで、低域通過フィルタＬＰＦの出力を出力端子（ＤＬ１、ＤＲ１）のみへ出力し、又は、高域通過フィルタＨＰＦの出力を出力端子（ＤＬ２、ＤＲ２）へのみへ出力することができる。ＣＰＵ４がスイッチＳＷ１およびＳＷ２の開閉状態を変えて、テスト信号源１３からのテスト信号を出力端子ＤＬ１およびＤＬ２からスピーカーシステム８に出力する。
【００４０】
最初に、ＤＳＰ１０のテスト信号源１３を動作させて、テスト信号をステレオ信号（左信号Ｌおよび右信号Ｒ）に代えてチャンネルデバイダ１２に入力するとともに、スイッチＳＷ１をＯＮにして（閉じて）低域通過フィルタＬＰＦの出力を出力端子（ＤＬ１、ＤＲ１）へ出力し、スイッチＳＷ２をＯＦＦにする（オープンにする）と、スピーカーシステム８のウーファーＷＯのみからテスト信号による音声が再生されるので、ＣＰＵ４は、マイクロホン９およびマイクアンプ回路７からの測定信号をウーファーＷＯ測定信号として記録する（Ｓ１）。次に、スイッチＳＷ１をＯＦＦにして（オープンにして）、スイッチＳＷ２をＯＮにして（閉じて）高域通過フィルタＨＰＦの出力を出力端子（ＤＬ２、ＤＲ２）へ出力すると、スピーカーシステム８のツィーターＴＷのみからテスト信号による音声が再生されるので、ＣＰＵ４は、マイクロホン９およびマイクアンプ回路７からの測定信号をツィーターＴＷ測定信号として記録する（Ｓ２）。その後、テスト信号源１３からのテスト信号出力は、停止すればよい。
【００４１】
テスト信号は、所定の周波数帯域成分を持つホワイトノイズ、ピンクノイズ、等の雑音信号、または、純音をスイープするスイープ信号、あるいは、インパルス信号、等のいずれかのテスト信号であればよい。ウーファーＷＯ測定信号およびツィーターＴＷ測定信号は、ＦＦＴ等の演算処理により、周波数データとして記録できる。アンプ装置１のテスト信号出力モードでは、ユーザーは、バイワイヤリングＳＳであるスピーカーシステム８のウーファーＷＯおよびツィーターＴＷの音圧周波数特性が未知の場合でも、テスト信号出力モードにおいてアンプ装置１のＤＳＰ１０の所定の帯域を含むテスト信号源１３を動作させるとともに、低域通過フィルタＬＰＦおよび高域通過フィルタＨＰＦをフィルタ処理を行わないスルーに設定し、スイッチＳＷ１およびＳＷ２の開閉状態を変えるようにして、ウーファーＷＯおよびツィーターＴＷのそれぞれの音圧周波数特性を知ることができる。
【００４２】
図４は、上記テスト信号出力モードで測定したスピーカーシステム８のウーファーＷＯおよびツィーターＴＷの音圧周波数特性（ウーファーＷＯ測定信号、ツィーターＴＷ測定信号）について説明するグラフである。また、図５は、上記のウーファーＷＯ測定信号に基づくパワースペクトルと、ツィーターＴＷ測定信号に基づくパワースペクトルと、の和のグラフである。ただし、図４および図５のグラフのスピーカーシステム８のウーファーＷＯおよびツィーターＴＷは、ネットワーク回路ｎＬおよびｎＨまたはチャンネルデバイダ１２を用いずに帯域分割されていない。したがって、スピーカーシステム８の再生音は、ウーファーＷＯからの再生音とツィーターＴＷからの再生音とが、図２で図示する場合よりもさらに幅広く図示する周波数帯域ｆｃｘにおいて重複することになる。なお、本実施例の場合には、周波数帯域ｆｃｘは約４００Ｈｚ〜約５ｋＨｚである。
【００４３】
この周波数帯域ｆｃｘは、図４のグラフではウーファーＷＯおよびツィーターＴＷの特性が重複している帯域として、図５のグラフではパワースペクトルの値が一段と大きくなる帯域として、読みとることができる。スピーカーシステム８においては、ウーファーＷＯおよびツィーターＴＷがそれぞれ十分な再生能力を有しており、クロスオーバー周波数ｆｃ０を設定すべき範囲（クロスオーバー周波数ｆｃ０を設定するのに最も適当な周波数帯域であり、後述する最適クロスオーバー周波数帯域ｆｃｚ。）は、この周波数帯域ｆｃｘに含まれる。しかし、この周波数帯域ｆｃｘは広すぎて、その下限付近は、適切にチャンネルデバイダ１２のクロスオーバー周波数ｆｃ０を設定することができる周波数帯域ではない。例えば、ツィーターＴＷは、その最低共振周波数ｆ０付近では動作が不安定であり、動作が安定する最低共振周波数ｆ０よりも高い周波数帯域で使用するのが一般的であるからである。したがって、マイクロホン９の位置での音圧のパワースペクトル関数をウーファーＷＯ測定信号およびツィーターＴＷ測定信号に基づいて演算して、適切なクロスオーバー周波数ｆｃ０を設定できるようにする。以下では、図３〜図７を参照して、その方法を説明する。
【００４４】
「テスト信号出力モード」では、ウーファーＷＯ測定信号およびツィーターＴＷ測定信号を測定した後に、クロスオーバー周波数ｆｃ０を変数に設定してパワースペクトル関数Ｍｆｃを演算する（Ｓ３）。クロスオーバー周波数ｆｃ０を変数に設定するとは、チャンネルデバイダ１２において所定の低域通過フィルタＬＰＦおよび高域通過フィルタＨＰＦを動作させた場合を想定し、そのクロスオーバー周波数ｆｃ０を変化させることを意味する。したがって、演算するパワースペクトル関数Ｍｆｃは、チャンネルデバイダ１２を動作させてクロスオーバー周波数ｆｃ０を変化させた場合に、スピーカーシステム８のパワースペクトルが変化する様子を表すものに相当することになる。所定の低域通過フィルタＬＰＦおよび高域通過フィルタＨＰＦを動作させるのは、実際にフィルタを動作させる、あるいは、測定信号にフィルタ特性をたたみ込み処理する、等しても良いが、周波数データに変換したウーファーＷＯ測定信号およびツィーターＴＷ測定信号を、所定の演算処理で周波数に基づいて通過帯域と阻止帯域に分類することで代用して良い。
【００４５】
図６は、パワースペクトル関数Ｍｆｃを演算する方法を説明する例示であり、具体的には、クロスオーバー周波数ｆｃ０＝２５０Ｈｚにおけるパワースペクトル関数Ｍｆｃを計算する方法を概念的に説明するグラフである。図示する|ＷＯ|は、ウーファーＷＯ測定信号に基づくパワースペクトルであり、|ＴＷ|は、ツィーターＴＷ測定信号に基づくパワースペクトルである。また、図示する領域Ｓｗｏは、所定の低域通過フィルタＬＰＦを動作させた場合の下限周波数ｆｌ（＝２０Ｈｚ）からクロスオーバー周波数ｆｃ０までのパワースペクトル|ＷＯ|の積分値を概念的に示している。同様に、図示する領域Ｓｔｗは、所定の高域通過フィルタＨＰＦを動作させた場合のクロスオーバー周波数ｆｃ０から上限周波数ｆｈ（＝２０ｋＨｚ）までのパワースペクトル|ＴＷ|の積分値を概念的に示している。以下の説明では、ＳｗｏならびにＳｔｗを、ウーファーＷＯ測定信号ならびにツィーターＴＷ測定信号に基づくパワースペクトルの積分値として説明する。
【００４６】
図６から分かるように、ツィーターＴＷが再生可能な周波数帯域よりも遙かに低い２５０Ｈｚをクロスオーバー周波数ｆｃ０に設定する場合には、ウーファーＷＯとツィーターＴＷとのつながりが悪くなり、スピーカーシステム８の周波数特性には、クロスオーバー周波数ｆｃ０以上のツィーターＴＷが再生する範囲でレベル低下してしまう（周波数特性にディップができる）という問題を生じる。その場合には、パワースペクトルの積分値の和Ｓｓｕｍ（＝Ｓｗｏ＋Ｓｔｗ）は、ウーファーＷＯとツィーターＴＷとのつながりがよい上記の周波数帯域ｆｃｘの場合よりも小さい値になる。言い換えると、クロスオーバー周波数ｆｃ０が周波数帯域ｆｃｘの範囲では、パワースペクトルの積分値の和Ｓｓｕｍは、それ以外の場合よりもより大きい値になり、ウーファーＷＯとツィーターＴＷとのつながりが最も良い周波数範囲では、さらに大きな値になるといえる。したがって、クロスオーバー周波数ｆｃ０を変数にしてパワースペクトルの積分値の和Ｓｓｕｍを求めると、ウーファーＷＯおよびツィーターＴＷがそれぞれ十分な再生能力を有し、クロスオーバー周波数ｆｃ０を設定すべき範囲が分かることになる。
【００４７】
図７は、クロスオーバー周波数ｆｃ０を変数にするパワースペクトル関数Ｍｆｃのグラフである。パワースペクトル関数Ｍｆｃは、クロスオーバー周波数ｆｃ０を変数にしてパワースペクトルの積分値の和Ｓｓｕｍを求めたのち、積分値の和Ｓｓｕｍをその平均値で正規化して得られる関数である。したがって、図７から分かる様に、その値が１を超えて最も大きい数値（１．３０以上）を示す最適クロスオーバー周波数帯域ｆｃｚ（＝３．０ｋＨｚ〜４．５ｋＨｚ）が、ウーファーＷＯおよびツィーターＴＷがそれぞれ十分な再生能力を有する範囲に相当することがわかる。この最適クロスオーバー周波数帯域ｆｃｚは、上記の周波数帯域ｆｃｘの中で相対的にパワースペクトル関数Ｍｆｃが大きな値となる周波数範囲である。そこで、「テスト信号出力モード」では、クロスオーバー周波数ｆｃ０を変数に設定してパワースペクトル関数Ｍｆｃを演算（Ｓ３）した後に、クロスオーバー周波数ｆｃ０を横軸にとってパワースペクトル関数Ｍｆｃを縦軸にとって、図７のようにグラフ表示する（Ｓ４）。
【００４８】
この最適クロスオーバー周波数帯域ｆｃｚは、アンプ装置１の表示回路６においてパワースペクトル関数Ｍｆｃとともにグラフ表示されるのが最も好ましいが、クロスオーバー周波数帯域ｆｃｚの数値範囲のみを表示するものであっても良い。また、アンプ装置１の表示回路６において、クロスオーバー周波数帯域ｆｃｚを数値で直接示さなくても、パワースペクトル関数Ｍｆｃとともに、ＣＰＵ４が演算するパワースペクトル関数Ｍｆｃの微分値から導出される変曲点又は極大値をグラフ表示して、最適クロスオーバー周波数帯域ｆｃｚが読みとれるようにしてもよい。パワースペクトル関数Ｍｆｃをクロスオーバー周波数ｆｃ０で微分した微分値が０になる点は、パワースペクトル関数Ｍｆｃの極値であるので、容易にパワースペクトル関数Ｍｆｃのピーク値（またはディップ値）を読みとることができる。
【００４９】
ユーザーは、パワースペクトル関数Ｍｆｃが最も大きくなる範囲を特定しやすくなる。アンプ装置１のテスト信号出力モードにおいては、パワースペクトル関数Ｍｆｃに基づいて最適クロスオーバー周波数帯域ｆｃｚを表示するので、ユーザーは、スピーカーシステム８のクロスオーバー周波数が未知であっても、設定すべきクロスオーバー周波数ｆｃ０を知ることができる。ＣＰＵ４は、最適クロスオーバー周波数帯域ｆｃｚに基づいて、クロスオーバー周波数ｆｃ０を自動的に最適クロスオーバー周波数帯域ｆｃｚの範囲内に設定するようにしてもよい。
【００５０】
本実施例においては、パワースペクトル関数Ｍｆｃは、下限周波数ｆｌ（＝２０Ｈｚ）から上限周波数ｆｈ（＝２０ｋＨｚ）までの範囲のパワースペクトルの周波数データを基に演算しているが、下限周波数ｆｌおよび上限周波数ｆｈは、ウーファーＷＯおよびツィーターＴＷの特性が重複している帯域である周波数帯域ｆｃｘを含んでいればよく、上記実施例に限定されない。さらに、正規化されるパワースペクトル関数Ｍｆｃは、横軸を対数表示のクロスオーバー周波数ｆｃ０としてグラフ表示する場合に、高い周波数でデータが多くなるので、１／６オクターブ〜オクターブで一様なデータ数になるように間引いた周波数データを用いて演算あるいは表示するようにしても良い。
【００５１】
また、チャンネルデバイダ１２は、低域通過フィルタＬＰＦまたは高域通過フィルタＨＰＦのそれぞれの出力信号のレベル調整を行なう（図示しない）レベル調整回路と、位相反転を行なう（図示しない）位相反転回路と、遅延時間を調整する（図示しない）遅延回路と、をそれぞれ含む場合には、それぞれを機能させた上でウーファーＷＯ測定信号およびツィーターＴＷ測定信号を測定すればよい。低域通過フィルタＬＰＦおよび高域通過フィルタＨＰＦをスルーにして、レベル調整回路と、位相反転回路および遅延回路と、を機能させない場合であっても、ＣＰＵ４がパワースペクトル関数Ｍｆｃを演算する段階でこれらのレベル調整、位相反転、遅延時間を調整する、といった信号処理を反映させてもよい。ユーザーは、チャンネルデバイダ１２での低域通過フィルタＬＰＦまたは高域通過フィルタＨＰＦの設定と、レベル調整及び遅延及び位相反転の処理と、を反映したパワースペクトル関数Ｍｆｃに基づいてクロスオーバー周波数ｆｃ０を設定できて、再生音質を調整することができる。
【００５２】
ただし、アンプ装置１のチャンネルデバイダ１２は、上記実施例のようなウーファーＷＯおよびツィーターＴＷを含む２ｗａｙのバイワイヤリングＳＳに適用するものに限られない。チャンネルデバイダ１２は、サブウーファーおよび／またはミッドレンジおよび／またはスーパーツィーターを含む３〜５ｗａｙのマルチウェイスピーカーである（図示しない）マルチウェイスピーカーシステムに対応するように、３〜５ｗａｙ用の帯域通過フィルタＢＰＦを含む構成にしてもよい。帯域通過フィルタＢＰＦは、低域通過フィルタＬＰＦおよび高域通過フィルタＨＰＦに、それぞれ他の高域通過フィルタＨＰＦまたは他の低域通過フィルタＬＰＦを直列接続して構成してもよい。つまり、隣接して帯域分割するフィルタの間で「オーバーラップ有り」とするようにフィルタを設定することで、３〜５ｗａｙのマルチウェイスピーカーシステムに対応してチャンネルデバイダを動作させても、音圧周波数特性上にディップが生じないようにすることができる。
【００５３】
もちろん、ネットワーク回路を用いるウーファーおよびツィーターを含むマルチウェイスピーカーの場合にも、本実施例のチャンネルデバイダ１２の「テスト信号出力モード」は有効である。また、スピーカーシステム８がネットワーク回路を用いないフルレンジスピーカーを含む場合にも、同様に「テスト信号出力モード」は有効である。フルレンジスピーカー、あるいは、ウーファー、ツィーター等のスピーカーの再生音圧周波数特性の限界に起因するレベル低下に対応して、他のスピーカーとの実質的なクロスオーバー周波数ｆｃが設定されている場合にも、これに合わせたチャンネルデバイダ１２のクロスオーバー周波数ｆｃ０を設定することができる。
【産業上の利用可能性】
【００５４】
本発明のチャンネルデバイダは、ステレオ音声信号を再生するステレオ装置のみならず、マルチチャンネルサラウンド音声再生装置を含む音響再生システムにも適用が可能である。
【符号の説明】
【００５５】
１        アンプ装置
２        Ｄ／Ａ変換器
３        アンプ回路
４        ＣＰＵ
５        操作部
６        表示回路
７        マイクアンプ回路
８        スピーカーシステム
９        マイクロホン
１０      ＤＳＰ
１１      デコーダ
１２      チャンネルデバイダ
１３      テスト信号源
【図１】
2014154956.tif 000003
【図２】
2014154956.tif 000004
【図３】
2014154956.tif 000005
【図４】
2014154956.tif 000006
【図５】
2014154956.tif 000007
【図６】
2014154956.tif 000008
【図７】
2014154956.tif 000009